(57)【要約】【課題】長時間の観戦に耐えられるベンチクッションとしても使用でき、持ち運びが容易で座ったままの姿勢で物品の出し入れが可能な多機能バッグを提供すること。【解決手段】上記課題を解決するために、本発明の多機能バッグ１は、ベンチ３の上に載置して使用するベンチクッションとしての機能と物品を収納し運搬するというバッグ本来の機能とを併せ持っており、クッション５を収納することによってベンチクッションとして使用できるクッション収納部７と、クッション収納部７の一端辺９に接続され、前面２１に小物収納ポケット１１を有するバッグ本体１３とを備えている。またクッション収納部７をベンチクッションとして使用する場合には、バッグ本体１３がベンチ３の前端縁から下方に垂れ下がり、小物収納ポケット１１の開口部が上方に臨むようにした。【選択図】        図４
2006075371.tif 000002
【特許請求の範囲】
【請求項１】
ベンチの上に載置して使用するベンチクッションとしての機能と物品を収納し運搬するというバッグ本来の機能とを併せ持つ多機能バッグにおいて、クッションを収納することによってベンチクッションとして使用できるクッション収納部と、クッション収納部の一端辺に接続され、前面に小物収納ポケットを有するバッグ本体とを備えており、クッション収納部をベンチクッションとして使用する場合には前記バッグ本体がベンチの前端縁から下方に垂れ下がり、小物収納ポケットの開口部が上方に臨むように設けられていることを特徴とする多機能バッグ。
【請求項２】
請求項１に記載した多機能バッグにおいて、前記クッション収納部には、ベンチに固定する場合に使用する固定ストラップが設けられていることを特徴とする多機能バッグ。
【請求項３】
請求項１または２に記載した多機能バッグにおいて、前記クッション収納部とバッグ本体との接合面にはワンタッチで着脱可能な簡易接合手段が設けられており、移動時には前記クッション収納部とバッグ本体とを接合し、一体化させた状態で持ち運びするように構成したことを特徴とする多機能バッグ。
【請求項４】
請求項１〜３のいずれかに記載した多機能バッグにおいて、前記小物収納ポケットの少なくともその一部には、飲料水等を入れたカップ等を収納するカップホルダが設けられていることを特徴とする多機能バッグ。
【請求項５】
請求項１〜４のいずれかに記載した多機能バッグにおいて、前記クッション収納部とバッグ本体との接続部位には、手提げ用の把持部と肩に掛けるショルダーベルトのいずれか一方ないし双方が設けられていることを特徴とする多機能バッグ。
【発明の詳細な説明】
【技術分野】
【０００１】
本発明は、例えばサッカー場等の観客席用の席としてベンチが使用されている場合において、当該ベンチの上に載置することでベンチクッションとして使用でき、移動時には通常のバッグとして持ち運びすることができる多機能バッグに関するものである。
【背景技術】
【０００２】
サッカー場や野球場あるいは陸上競技場等の観客席としては、着座部に背もたれが付いた比較的座り心地の好いボックスシートタイプの椅子の他、着座部のみを備えたベンチシートタイプの椅子（本明細書ではこれを簡略化し、ベンチの語を使用する）が多く採用されている。
【０００３】
このベンチは座面が木材やプラスチックによって構成されているため、硬くて座り心地が極めて悪い。そこで、一部の観客は手提げ袋等にクッションを入れて競技場に持ち込み、クッションを手提げ袋等から取り出してベンチの上に載置して、この上に腰を掛けて観戦するようにしていた。
【０００４】
しかしながら、観客は観戦中の食料や飲料、タオル、雨具、応援グッズ等、用意する物品が数多くあり、これらに加えてクッションを別に用意して持ち運ぶことはかなり負担であり、特に電車等、混雑する交通機関等を利用して移動する場合にはその煩わしさは相当なものである。
【発明の開示】
【発明が解決しようとする課題】
【０００５】
本発明は、上記の背景技術及び背景技術が抱えていた問題点の存在を踏まえてなされたものであって、バッグにベンチクッションとしての機能を付加することによって持ち運びが容易で、長時間の観戦にも十分耐えられるだけの座り心地が確保され、着座姿勢のまま物品の出し入れが可能な便利で機能的な多機能バッグを提供することを課題とするものである。
【課題を解決するための手段】
【０００６】
上記課題を解決するために請求項１に記載した発明は、ベンチの上に載置して使用するベンチクッションとしての機能と物品を収納し運搬するというバッグ本来の機能とを併せ持つ多機能バッグにおいて、クッションを収納することによってベンチクッションとして使用できるクッション収納部と、クッション収納部の一端辺に接続され、前面に小物収納ポケットを有するバッグ本体とを備えており、クッション収納部をベンチクッションとして使用する場合には前記バッグ本体がベンチの前端縁から下方に垂れ下がり、小物収納ポケットの開口部が上方に臨むように設けられていることを特徴とする多機能バッグである。
【０００７】
請求項２に記載した発明は、請求項１に記載した多機能バッグにおいて、前記クッション収納部には、ベンチに固定する場合に使用する固定ストラップが設けられていることを特徴とする多機能バッグである。
【０００８】
請求項３に記載した発明は、請求項１または２に記載した多機能バッグにおいて、前記クッション収納部とバッグ本体との接合面にはワンタッチで着脱可能な簡易接合手段が設けられており、移動時には前記クッション収納部とバッグ本体とを接合し、一体化させた状態で持ち運びするように構成したことを特徴とする多機能バッグである。
【０００９】
請求項４に記載した発明は、請求項１〜３のいずれかに記載した多機能バッグにおいて、前記小物収納ポケットの少なくともその一部には、飲料水等を入れたカップ等を収納するカップホルダが設けられていることを特徴とする多機能バッグである。
【００１０】
請求項５に記載した発明は、請求項１〜４のいずれかに記載した多機能バッグにおいて、前記クッション収納部とバッグ本体との接続部位には、手提げ用の把持部と肩に掛けるショルダーベルトのいずれか一方ないし双方が設けられていることを特徴とする多機能バッグである。
【発明の効果】
【００１１】
本発明の多機能バッグによれば、クッションをバッグと別に持ち運ばなくても、バッグにクッションが装着されているから、バッグのみを持ち運べば良く、持ち運びが容易である。
またクッションが収納されたクッション収納部をベンチの上に載置し、その上に座ればクッションの柔軟性によって長時間の観戦にも十分耐えられるだけの座り心地が確保される。
また着座姿勢において小物収納ポケットの開口部が上方に臨むように設けられているから、座ったままの姿勢で小物収納ポケット内に収納されている物品を簡単に出し入れすることが可能である。
【発明を実施するための最良の形態】
【００１２】
以下、下記の実施例１を例にとって、本発明に係る多機能バッグ１について具体的に説明する。
多機能バッグ１は、サッカー場等の観客席用の席として多く使用されているベンチ３の上に載置してベンチクッションとして使用でき、移動時には折り畳んで持ち運びの容易なバッグとして使用できるベンチクッション機能を備えた多機能なバッグである。多機能バッグ１の材料としてはビニール地、皮革、合成皮革等各種の材料が使用でき、多機能バッグ１は縫製加工を施して所定の形状に成形される。
【００１３】
多機能バッグ１は、クッション５を収納することによってベンチクッションとして使用できるクッション収納部７と、クッション収納部７の一端辺９に接続され、前面２１に小物収納ポケット１１が設けられたバッグ本体１３とを備えている。
クッション５の材料としては、ナイロンやウレタン系のスポンジ、発泡スチロール等、クッション性を備える各種の材料が使用できる。
クッション収納部７は使用するクッション５の形状に合わせて一例として前面１５及び背面１７が正方形状の偏平な直方体形状の部材である。前面１５と背面１７との間には、上下左右に短冊状の細長い妻面１９が設けられており、前面１５と下面に位置する妻面１９との境界付近にはクッション収納部７内へのクッション５の出し入れの際に使用する開口部２０が設けられている。また開口部２０には一例として金属製のファスナー２７が取り付けられている。
【００１４】
クッション収納部７の一端辺９は、前面１５と上面に位置する妻面１９との境界に位置している。そしてこの一端辺９に対してバッグ本体１３の上部が折り畳み、展開自在に接続されている。
バッグ本体１３は前面２１と背面２３を重ね合わせて袋状に縫製加工したものである。そして前面２１と背面２３はクッション収納部７の前面１５と背面１７の形状に合わせてほぼ同じ大きさの正方形状に形成されている。
【００１５】
バッグ本体１３の一端辺９に近い上部には物品を出し入れする際に使用する開口部２５が設けられている。開口部２５には一例として金属製のファスナー２７が取り付けられており、開口部２５は開閉自在の構造になっている。
またバッグ本体１３の前面２１には上部中央にカップやボトルに入れた飲料水等を収納するカップホルダ２９が設けられており、カップホルダ２９の左右に立体的に縫製された比較的小型の物品を収納する小型ポケット３１が２つ設けられている。
【００１６】
またバッグ本体１３の前面２１の下部には、横に長い平面的で比較的大型の物品を収納する大型ポケット３３が１つ設けられている。これらのカップホルダ２９、小型ポケット３１及び大型ポケット３３は全て小物収納ポケット１１に属するものである。
カップホルダ２９は底部３５がバッグ本体１３と同じ生地、周胴部３７がメッシュ状の生地によって形成されており、周胴部３７の上部には周胴部３７の上部開口を挟めるように作用する帯状のゴム紐３９が取り付けられている。
【００１７】
小型ポケット３１は縦に長い、ある程度肉厚の立体的なポケットであり、バッグ本体１３と同じ生地の底部４１、周胴部４３及び蓋部４５とによって構成されている。周胴部４３と蓋部４５との間にはファスナー２７が設けられており、小型ポケット３１は開閉自在の構造になっている。
【００１８】
大型ポケット３３は横に長い、比較的偏平なポケットであり、バッグ本体１３と同じ生地の底部４７、前覆部４９及び左右の妻部５１とによって構成されている。また妻部５１は縦に長い三角形状をしており、底部４７と共にこれらの中央付近の部位を内側に折り曲げることによってギャザーを形成し、収納する物品の多少の肉厚の変化に対応できるようになっている。前覆部４９の上部にもファスナー２７が水平方向に設けられており、大型ポケット３３は開閉自在の構造になっている。
【００１９】
バッグ本体１３とクッション収納部７との接続部位であるクッション収納部７の一端辺９上には、中央にループ状をした手提げ用の把持部５３、その左右端部寄りに肩に掛けるショルダーベルト５５の両端に取り付けられているフック部５７を係止するためのリング部５９が２個設けられている。
またバッグ本体１３の背面２３の下部（図５の展開図では上部）の左右端部寄りと、クッション収納部７の前面１５の下部の左右端部寄りには、ワンタッチで着脱可能な簡易接合手段の一例である、それぞれ対となる２組の面状ファスナー６１が設けられている。
【００２０】
またクッション収納部７の前面１５の上下左右の端辺の中央付近にはそれぞれ１個ずつ２組計４個のリング部６３が設けられており、これらリング部６３のうち対向する位置にある１組のリング部６３を選択してクッション収納部７をベンチ３に固定する場合に使用する固定ストラップ６５が取り付けられている。固定ストラップ６５は比較的幅広な帯状のゴム紐によって構成されており、その両端には、上記リング部６３に係止するフック部６７が設けられている。
【００２１】
次にこのようにして構成される多機能バッグ１の使用方法をバッグとして使用する（１）移動時と、ベンチクッションとして使用する（２）観戦時とに分けて説明する。
（１）移動時（図２、３参照）
移動時には、クッション収納部７の前面１５とバッグ本体１３の背面２３に設けられている面状ファスナー６１を重ね合わせて接合し、クッション収納部７とバッグ本体１３を折り畳んで一体化させた状態とする。この状態ではコンパクトになり、通常のバッグと変わらない外観を呈するようになる。従って、通常のバッグと同様、手提げ用の把持部５３を手で持って、あるいはショルダーベルト５５を肩に掛けることによって多機能バッグ１を持ち運ぶことができる。
【００２２】
（２）観戦時（図１、４参照）
観戦時には、面状ファスナー６１の接合を解除してクッション収納部７とバッグ本体１３を展開状態とする。次にベンチ３上にクッション収納部７の前面１５を下にして載置し、固定ストラップ６５によってベンチ３に固定する。
この時、クッション収納部７の前記一端辺９が手前に来るように注意する。
そしてこの状態では自然にバッグ本体１３が下方に垂れ下がるようになり、バッグ本体１３の前面２１に設けられている小物収納ポケット１１の開口部は上方に臨むようになっている。従って例えばカップホルダ２９に飲料水等が入った紙コップ等をそのまま載置しても、飲料水等は紙コップ等から溢れることなく水平に保持される。
【００２３】
以上、本発明を実施するための最良の形態、その具体的な実施例について詳述してきたが、具体的な構成はこれらの形態や実施例に限られるものではなく、本発明の要旨を逸脱しない範囲内における設計の変更などがあっても本発明に含まれる。
例えばクッション収納部７には必ずしもクッション５を収納しなくてもよく、バッグ本体１３に収納する物品より幾分肉厚の物品の収納スペースとして使用することも可能である。
【００２４】
クッション収納部７を気密構造とし、クッション収納部７内にエア等を充填することによってクッション作用を奏するようにすることも可能である。
また肩掛け用のショルダーベルト５５に代えて背負い式の２本のショルダーベルトをクッション収納部７の背面１７等に設けた背負い式の多機能バッグ１とすることも可能である。
本発明の多機能バッグ１はベンチ３上に載置して使用するスポーツ観戦等の他、野外での釣りやキャンプ等に持って行くバッグとしても使用可能である。
【図面の簡単な説明】
【００２５】
【図１】本発明の実施例１に係る多機能バッグの観戦時の使用状態を示す斜視図である。
【図２】本発明の実施例１に係る多機能バッグを折り畳みコンパクトにした状態の正面図である。
【図３】本発明の実施例１に係る多機能バッグを折り畳みコンパクトにした状態の側面図である。
【図４】本発明の実施例１に係る多機能バッグの観戦時の使用状態を示す側面図である。
【図５】本発明の実施例１に係る多機能バッグを展開した状態を示す正面図である。
【符号の説明】
【００２６】
１  多機能バッグ      ３  ベンチ      ５  クッション
７  クッション収納部      ９  一端辺      １１  小物収納ポケット
１３  バッグ本体      １５  前面（クッション収納部の）
１７  背面（クッション収納部の）      １９  妻面（クッション収納部の）
２０  開口部（クッション収納部の）      ２１  前面（バッグ本体の）
２３  背面（バッグ本体の）      ２５  開口部（バッグ本体の）
２７  ファスナー      ２９  カップホルダ      ３１  小型ポケット
３３  大型ポケット      ３５  底部（カップホルダの）
３７  周胴部（カップホルダの）      ３９  ゴム紐（カップホルダの）
４１  底部      ４３  周胴部      ４５  蓋部      ４７  底部
４９  前覆部      ５１  妻部      ５３  （手提げ用の）把持部
５５  ショルダーベルト
５７  フック部（ショルダーベルト係止用の）
５９  リング部（ショルダーベルト係止用の）
６１  面状ファスナー（簡易接合手段）
６３  リング部（固定ストラップ係止用の）      ６５  固定ストラップ
６７  フック部（固定ストラップ係止用の）
【図１】
2006075371.tif 000003
【図２】
2006075371.tif 000004
【図３】
2006075371.tif 000005
【図４】
2006075371.tif 000006
【図５】
2006075371.tif 000007